(57)【要約】【課題】光源に電力を供給する電力供給線の数を低減することのできる照明装置を提供する。【解決手段】白色のＬＥＤおよび電球色のＬＥＤからなる２系統の電力供給系統を備えた光源を有するペンダント式の照明装置において、プラス（＋）で示される入力端子またはマイナス（−）で示される出力端子に接続される電力供給線が、共通化されている。【選択図】図１２
2012059455.tif 000002
【特許請求の範囲】
【請求項１】
複数の電力供給系統を備える光源を備える照明部と、
上記光源に電力を供給する電力供給線とを備える照明装置であって、
上記光源のうち、少なくとも２系統の上記電力供給系統を備える光源の入力端子および出力端子のいずれか一方が、共通の上記電力供給線に接続されることを特徴とする照明装置。
【請求項２】
上記照明部を吊下げる吊下げ部材を備え、
該吊下げ部材は、上記電力供給線を備えることを特徴とする請求項１に記載の照明装置。
【請求項３】
２系統の上記電力供給系統を備える光源と、
３つの上記吊下げ部材とを備え、
該３つの吊下げ部材は、上記２系統の電力供給系統に接続される３本の上記電力供給線を夫々１本づつ備えることを特徴とする請求項２に記載の照明装置。
【請求項４】
上記吊下げ部材は、
上記照明部を支持するとともに、上記電力供給線に被覆された支持部と、
上記電力供給線を被覆する絶縁部と、をさらに備えることを特徴とする請求項２または３に記載の照明装置。
【請求項５】
上記絶縁部は、透明材料から形成されていることを特徴とする請求項４に記載の照明装置。
【請求項６】
上記光源は、上記電力供給系統及び色温度が異なる２種類のＬＥＤであることを特徴とする請求項３から５のいずれか一項に記載の照明装置。
【発明の詳細な説明】
【技術分野】
【０００１】
本発明は、複数の電力供給系統を備える光源を備える照明装置に関する。
【背景技術】
【０００２】
従来から、天井からワイヤで吊下げられた照明装置（いわゆるペンダントライト）が普及している（例えば、特許文献１）。図１６は、特許文献１に記載の照明装置を示す図であり、（ａ）は照明装置の断面図であり、（ｂ）は（ａ）の照明装置に設けられた電気コードのＸ−Ｘ線端面図である。
【０００３】
図１６の（ａ）に示すように、特許文献１に記載の照明装置１００は、照明部（本体）１０１と、照明部１０１を天井から吊下げるとともに、照明部１０１に電源からの電気を供給する電気コード１０２とを備えている。図１６の（ｂ）に示すように、電気コード１０２は、照明部１０１に電力を供給する電力供給線としての２本の導線１０３，１０３と、実質的に照明部１０１を支持する支持用線１０４と、導線１０３，１０３および支持用線１０４を被覆する絶縁体１０５とを備えている。支持用線１０４は、両導線１０３，１０３の間に配されており、導線１０３，１０３および支持用線１０４は、鉛直方向に伸びている。
【先行技術文献】
【特許文献】
【０００４】
【特許文献１】特開２００２−３６７４２３号公報（２００２年１２月２０日公開）
【発明の概要】
【発明が解決しようとする課題】
【０００５】
しかしながら、上記特許文献１に記載の吊下げ型の照明装置は、複数の電力供給系統（以下系統と記す）の光源を備える場合に、電力供給線の数が多くなるという問題がある。
【０００６】
具体的には、照明装置１００は、１系統の光源１０６を備えているため、光源の入力端子および出力端子に接続される２本の導線１０３，１０３が必要になる。このため、例えば、２系統の光源１０６を備える場合、４本の導線１０３が必要になる。つまり、複数系統の光源１０６を備える場合には、系統数の２倍にあたる本数の導線１０３が必要になる。従って、光源１０６の系統数が増えるにつれて、電力供給線としての導線１０３の本数が多くなるという問題がある。
【０００７】
本発明は、上記従来の問題点に鑑みてなされたものであり、その目的は、光源に電力を供給する電力供給線の数を低減することのできる照明装置を提供することにある。
【課題を解決するための手段】
【０００８】
本発明に係る照明装置は、上記の課題を解決するために、複数の電力供給系統を備える光源を備える照明部と、上記光源に電力を供給する電力供給線とを備える照明装置であって、上記光源のうち、少なくとも２系統の上記電力供給系統を備える光源の入力端子および出力端子のいずれか一方が、共通の上記電力供給線に接続されることを特徴としている。
【０００９】
上記の構成によれば、複数の電力供給系統を備える光源のうち、少なくとも２系統の電力供給系統を備える光源の入力端子または出力端子が、共通の電力供給線に接続されている。これにより、入力端子または出力端子に接続される電力供給線が、共通化される。従って、電力供給線の数を低減することのできる照明装置を提供することができる。
【００１０】
本発明に係る照明装置において、上記照明部を吊下げる吊下げ部材を備え、該吊下げ部材は、上記電力供給線を備えることが好ましい。
【００１１】
上記照明装置は、照明部を吊下げる吊下げ部材を備えたペンダント式の照明器具である。上記の構成によれば、電力供給線が、吊下げ部材に設けられている。つまり、電力供給線が、吊下げ部材と一体となっており、電力供給線と吊下げ部材とを別々に設ける必要がない。従って、吊下げ部材に、照明部を吊下げる機能と、光源に電力を供給する機能とを付与することができる。
【００１２】
本発明に係る照明装置において、２系統の上記電力供給系統を備える光源と、３つの上記吊下げ部材とを備え、該３つの吊下げ部材は、上記２系統の電力供給系統に接続される３本の上記電力供給線を夫々１本づつ備えることが好ましい。
【００１３】
上記の構成によれば、２系統の電力供給系統を備える光源を備えているため、本来合計４本の電力供給線（入力端子に接続される２本，出力端子に接続される２本）が必要になる。しかし、入力端子に接続される電力供給線または入力端子に接続される電力供給線は共通化されるため、電力供給線の本数を３本に減らすことができる。つまり、照明部は、３本の吊下げ部材を用いて吊下げられる。そして、この３本の電力供給線が、３つの吊下げ部材に１本ずつ設けられている。従って、４本の吊下げ部材を用いて照明部を吊下げるよりも、３本の吊下げ部材を用いてバランスよく照明部を吊下げることが可能となる。
【００１４】
なお、上記の照明装置は、複数の電力供給系統を備える光源が、２系統の電力供給系統を備える光源からなり、吊下げ部材が３つであり、各吊下げ部材が、上記２系統の電力供給系統に接続される３本の電力供給線を、１本ずつ備える構成であるともいえる。
【００１５】
本発明に係る照明装置において、上記吊下げ部材は、上記照明部を支持するとともに、上記電力供給線に被覆された支持部と、上記電力供給線を被覆する絶縁部と、をさらに備えることが好ましい。
【００１６】
上記の構成によれば、吊下げ部材が、中央に配置された支持部が電力供給線で被覆され、さらに、電力供給線が絶縁体で被覆された３層構造になっている。従って、吊下げ部材を、特許文献１に記載の電気コード１０２よりも、細くすることができる。
【００１７】
本発明に係る照明装置において、上記絶縁部は、透明材料から形成されていることが好ましい。
【００１８】
上記の構成によれば、透明材料から形成された絶縁部は、実質的に認識されない。その結果、ワイヤの見かけ上の太さが、電力供給線の外径となり、実際の太さよりもワイヤが細く見える。従って、デザイン性に優れた照明装置を実現することができる。
【００１９】
本発明に係る照明装置において、上記光源は、上記電力供給系統及び色温度が異なる２種類のＬＥＤであることが好ましい。
【００２０】
上記の構成によれば、光源が、電力供給系統および色温度が互いに異なる２種類のＬＥＤから構成されている。従って、様々な調光および調色を楽しむことができつつ、長寿命で低消費電力の照明装置を実現することができる。
【発明の効果】
【００２１】
以上のように、本発明によれば、電力供給線の数を低減することのできる照明装置を提供することができるという効果を奏する。
【図面の簡単な説明】
【００２２】
【図１】本発明に係る照明装置の斜視図である。
【図２】本発明の照明装置における固定部の分解斜視図である。
【図３】本発明の照明装置における固定部の断面図である。
【図４】本発明の照明装置における照明部の分解斜視図である。
【図５】本発明の照明装置におけるワイヤの断面図である。
【図６】本発明の照明装置における固定部の上面図である。
【図７】本発明の照明装置において、ワイヤが回転アングルに固定された状態を示す拡大図である。
【図８】本発明の照明装置において、回転カバーが回転アングルに係止された状態を示す上面図である。
【図９】本発明の照明装置において、回転アングルと回転カバーとの係止が解除された状態を示す断面図である。
【図１０】本発明の照明装置における調整機構の斜視図である。
【図１１】２系統の電力供給系統を備え、色調が夫々白色と電球色とであるＬＥＤに対してプラス（＋）で示す入力端子およびマイナス（−）で示す出力端子がそれぞれ独立した電力供給線に接続された配線を示す概略図である。
【図１２】２系統の電力供給系統を備え、色調が夫々白色と電球色とであるＬＥＤに対してマイナス（−）で示す出力端子側の電力供給線を共通化して接続された配線を示す概略図である。
【図１３】本発明の照明装置における別の回転カバーを示す斜視図である。
【図１４】本発明の照明装置における別の回転カバーを示す斜視図である。
【図１５】本発明の照明装置における別の回転カバーを示す斜視図である。
【図１６】特許文献１に記載の照明装置を示す図であり、（ａ）は照明装置の断面図であり、（ｂ）は（ａ）の照明装置に設けられた電気コードのＸ−Ｘ線端面図である。
【発明を実施するための形態】
【００２３】
以下、本発明の一実施形態について図面に基づいて説明する。
【００２４】
（本発明に係る照明装置１０）
図１は、本発明に係る照明装置１０の斜視図である。照明装置１０は、設置部としての天井に固定された固定部１と、光源としてＬＥＤを備えた照明部２と、固定部１および照明部２に接続され、照明部２を天井から吊下げる複数（ここでは３本）の吊下げ部材としてのワイヤ３とを備えている。すなわち、本実施形態の照明装置１０は、３本のワイヤ３で照明部２を吊下げたペンダント式の照明器具である。照明装置１０は、ＬＥＤを光源として備えるため、長寿命および低消費電力を実現することができる。なお、以下の説明では、便宜上、天井側（固定部１側）を上部（上方）、床側（照明部２側）を下部（下方）として説明する。なお、本実施形態では固定部１は天井に固定されているが、固定部１を設置する設置部は天井に限らず固定部１を固定して照明部２を吊下げることが可能な支持棒等であってもよい。
【００２５】
（固定部１）
図２は、照明装置１０における固定部１の分解斜視図である。図３は、照明装置１０における固定部１の断面図である。
【００２６】
図２のように、固定部１は、シャーシ１１、回転アングル（保持部）１２、基板アングル１３、基板サポート１４ａ、電源基板１５、基板サポート１４ｂ、回転カバー（巻取り部）１６、基板カバー１７、およびボトムカバー１８を備えている。
【００２７】
回転アングル１２は、回転カバー１６を保持し、回転カバー１６回転させるときのガイドとなる。回転アングル１２の外縁部は、櫛歯形状になっており、回転カバー１６の係止、および、回転カバー１６の回転を補助する機能を果たす。回転アングル１２の外側面には、ワイヤ３の先端部を引掛ける引掛け爪１２ａが形成されている。
【００２８】
基板アングル１３は、回転アングル１２に挿入される。基板アングル１３には、電源基板１５を固定するための複数のネジ穴１３ａが形成されており、基板サポート１４ａ，１４ｂに挟持された電源基板１５が固定される。
【００２９】
回転カバー１６は、回転アングル１２の外側に配置される。回転カバー１６は、ワイヤ３を巻き取り、照明部２の高さ（照明部２の固定部１までの距離）を調整する。回転カバー１６の外側面には、３本のワイヤ３を同一の経路で巻き取る巻取り経路１６ａ（第１の巻き取り経路）が形成されている。回転カバー１６は、回転アングル１２に沿って回転することにより、巻取り経路１６ａに沿ってワイヤ３を巻き取る。回転カバー１６の内側面には、係止爪１６ｂおよびリブ１６ｃが形成されている。係止爪１６ｂは、回転カバー１６を回転させないときに、回転アングル１２の外縁部に回転カバー１６を係止させる。リブ１６ｃは、回転カバー１６を回転させるときに、回転アングル１２の外縁部に接し、回転カバー１６を回転アングル１２の外縁部に沿って回転させる。回転カバー１６の外側面には、各ワイヤ３に対応して調整機構４が設けられている。調整機構４は、ワイヤ３の長さ（固定部１から照明部２までのワイヤ３の長さ）を調整する。なお、図示しないが、回転カバー１６の内側面には、ワイヤ３の先端部が固定されている。調整機構４の詳細については後述する。
【００３０】
基板カバー１７は、基板アングル１３のフランジ部１３ｂに固定される。基板カバー１７の天井側の面には、固定部１を天井に接続するためのワンタッチアダプタ１７ａが設けられている。ボトムカバー１８は、固定部１の底部となり、シャーシ１１に蓋をする。
【００３１】
一方、図３のように、回転アングル１２、基板アングル１３、基板サポート１４ａ、電源基板１５、基板サポート１４ｂ、回転カバー１６、基板カバー１７は、シャーシ１１内に収容される。また、固定部１の各部材は、回転カバー１６を除いて、シャーシ１１に直接的または間接的に固定されている。
【００３２】
シャーシ１１、基板サポート１４ａ，１４ｂ、電源基板１５は、それぞれ中央部に開口が形成されている。これらの開口はつながっており、この開口内に、天井に取り付けられたローゼット５が挿入される。そして、基板カバー１７に形成されたワンタッチアダプタ１７ａが、ローゼット５に接続される。これにより、固定部１が天井に固定される。電源基板１５は、万一の発火等のトラブルが起きたときに備えて、シャーシ１１、基板アングル１３、および基板カバー１７によって包囲されている。
【００３３】
（照明部２）
図４は、照明装置１０における照明部２の分解斜視図である。照明部２は、放熱板２１ａ〜２１ｅ、ＬＥＤアングル２２、ＬＥＤユニット２３、外周カバー２４、導光板２５、拡散板２６、放熱板２１ｆ、クッション２７、放熱板２１ｇ、ＤＥＣカバー２８から構成されている。照明部２の各部は、直接的または間接的に、放熱板２１ａに固定される。なお、図４において、放熱板２１ａ側が、天井側である。また、図示しないが、ワイヤ３は、放熱板２１ａに１２０度間隔で均等に接続される。
【００３４】
放熱板２１ａ〜２１ｅは、ＬＥＤユニット２３の発光時の熱を放熱させる。ＬＥＤユニット２３は、照明装置１０における光源として、複数のＬＥＤを実装している。ＬＥＤユニット２３は、ＬＥＤアングル２２に取り付けられる。導光板２５は、ＬＥＤから照射された光を床方向（下方）に出射させる。拡散板２６は、導光板２５を透過したＬＥＤから照射された光を面方向に拡散させる。具体的には、拡散板２６には、図示しない散乱体の印刷パターンが形成されている。これにより、ＬＥＤから照射された光を乱反射させることにより、広角で均一な光を出射させることができる。言い換えれば、輝度ムラの少ない均一な光を出射させることができる。放熱板２１ｆ，２１ｇは、拡散板２６および導光板２５に発生した熱を放熱させる。放熱板２１ｆ，２１ｇの間には、クッション２７が設けられている。ＤＥＣカバー２８は、照明部２の底部となる。
【００３５】
（ワイヤ３）
ワイヤ３は、照明部２を吊下げる機能と、照明部２に電力を供給する機能とを有する。具体的には、ワイヤ３の一端は固定部１の回転アングル１２に、他端は照明部２の放熱板２１ａにそれぞれ均等に接続されており、照明部２を天井から吊下げる。さらに、ワイヤ３は、ＬＥＤユニット２３に実装されたＬＥＤに電力を供給する。図５は、ワイヤ３の断面図である。
【００３６】
図５のように、ワイヤ３は、補強索（支持部）３ａ、導体（電力供給線）３ｂ、絶縁体（絶縁部）３ｃから構成されている。ワイヤ３は、中央に配置された補強索３ａが導体３ｂで被覆され、さらに、導体３ｂが絶縁体３ｃで被覆された３層構造になっている。
【００３７】
補強索３ａは、実質的に照明部２を支持する部分である。このため、補強索３ａは、導体３ｂおよび絶縁体３ｃよりも荷重に対する強度が大きい材料（例えばケブラー（商品名：Kevlar）等）から形成されている。補強索３ａは、照明部２を吊下げるのに耐え得る材料から形成されていれば特に限定されるものではない。導体３ｂは、照明部２に電力を供給する電力供給線であり、銅線等の金属線等から形成されている。
【００３８】
絶縁体３ｃは、塩化ビニル等の絶縁性材料から形成されている。絶縁体３ｃは、透明材料から形成されていることが好ましい。これにより、ワイヤ３の見かけ上の太さが、実際の太さよりも細く見えるようになる。すなわち、ワイヤ３の実際の太さは、絶縁体３ｃの外径Ｘとなるはずである。しかし、絶縁体３ｃが透明であれば、絶縁体３ｃの太さは実質的に認識されない。その結果、ワイヤ３の見かけ上の太さが、導体３ｂの外径Ｙとなり、実際の太さよりもワイヤ３が細く見える。従って、デザイン性に優れた照明装置１０を実現することができる。
【００３９】
このように、本実施形態では、導体（電力供給線）３ｂが、吊下げ部材としてのワイヤ３に設けられている。つまり、導体３ｂが、ワイヤ３と一体となっており、導体３ｂとワイヤ３とを別々に設ける必要がない。従って、ワイヤ３に、照明部２を吊下げる機能と、光源に電力を供給する機能とを付与することができる。
【００４０】
（照明部２の高さ調節）
次に、照明装置１０における照明部２の高さ調節について説明する。図６は、照明装置１０における固定部１の上面図である。ただし、図６では、シャーシ１１を省略している。図７は、照明装置１０において、ワイヤ３が回転アングル１２に固定された状態を示す拡大図である。図８は、照明装置１０において、回転カバー１６が回転アングル１２に係止された状態を示す上面図である。図９は、照明装置１０において、回転アングル１２と回転カバー１６との係止が解除された状態を示す断面図である。
【００４１】
照明装置１０において、照明部２の高さを調節するときには、まず、ボトムカバー１８を外す。そして、回転カバー１６を回転させてワイヤ３の固定部１から照明部２までの間の長さを変動させることにより、照明部２の位置を調節する。照明装置１０では、固定部１のうち、回転カバー１６のみが回転するようになっている。ワイヤ３は、回転カバー１６の周方向に等間隔に接続されている。
【００４２】
具体的には、図６は、ワイヤ３の固定部１から照明部２までの間の長さが最も長い状態、つまり、照明部２が最も低い位置（床側）に吊下げられた状態を示している。図６のように、ワイヤ３は、回転カバー１６の外側面に形成された巻取り経路１６ａに沿って伸びている。ワイヤ３の端部は、回転カバー１６に形成された切欠部１６ｄで、巻取り経路１６ａから回転カバー１６の内へ方向転換し、回転アングル１２に固定される。具体的には、図７のように、ワイヤ３の先端部は、ループ状になっており、回転アングル１２の外側面の周方向に等間隔に形成された引掛け爪１２ａに引掛けられている。これにより、ワイヤ３の端部が固定部１に固定される。
【００４３】
照明部２の高さを調節しない場合（通常状態）には、図６に丸で囲ったように、回転カバー１６が複数箇所で、回転アングル１２に係止（固定）されている。つまり、通常状態では、回転カバー１６は回転させない。具体的には、上述のように、回転アングル１２の外縁部は、櫛歯形状になっている（図２参照）。そして、図８のように、回転カバー１６の内側面に形成された係止爪１６ｂが、回転アングル１２の外縁部の突出部１２ｂに係止されている。なお、回転カバー１６の内側面には、リブ１６ｃも形成されている。しかし、リブ１６ｃは、係止爪１６ｂよりも上方に形成されている。このため、回転カバー１６を回転させない状態では、リブ１６ｃは、回転アングル１２の外縁部（突出部１２ｂ）に接していない。
【００４４】
一方、照明部２の高さを調節する場合には、まず、回転カバー１６を手動で回転させて、係止爪１６ｂと突出部１２ｂとの係止を解除する。具体的には、図８の場合、回転カバー１６を時計回りに回転させると、係止爪１６ｂが、回転アングル１２の突出部１２ｂから、陥没部１２ｃへ移動する。これにより、係止爪１６ｂと突出部１２ｂとの係止が解除される。次に、図９のように、係止爪１６ｂよりも上方に形成されたリブ１６ｃが、回転アングル１２の外縁部に当接するまで、回転カバー１６を下げる。リブ１６ｃは、係止爪１６ｂが形成された領域を除いて、回転カバー１６の内側面の周囲に形成されている。これにより、回転カバー１６を、回転アングル１２の外縁部に沿って移動（回転）させ、ワイヤ３の固定部１から照明部２までの間の長さの調節が可能となる。具体的には、回転カバー１６を時計回りに回転させると、その回転に連動して、全てのワイヤ３が同時に巻き取られる。その結果、固定部１と照明部２とが徐々に接近し、照明部２を高い位置に設置することができる。逆に、回転カバー１６を反時計回りに回転させると、全てのワイヤ３が同時に巻き下げられる。その結果、固定部１と照明部２とが徐々に離れ、照明部２を低い位置に設置することができる。このように、回転カバー１６の回転量（移動量）に応じて、ワイヤ３の固定部１から照明部２までの間の長さを調節することによって、照明部２の高さを調節することができる。なお、照明部２の高さを調節する際、係止爪１６ｂは、回転アングル１２の外縁部（突出部１２ｂ）に接していない。照明部２の高さ調節が完了すれば、回転カバー１６を持ち上げて回転させ、再び、回転カバー１６の係止爪１６ｂを、回転アングル１２の突出部１２ｂに係止させる。なお、照明装置１０では、係止爪１６ｂがリブ１６ｃよりも下方に設けられている。このため、目視により確認しながら、係止爪１６ｂを突出部１２ｂに容易に係止させることが可能である。
【００４５】
このように、照明装置１０は、回転カバー１６を時計回りまたは反時計回りに回転させ、その回転に連動させてワイヤ３を巻き取りまたは巻き下げることによって、照明部２の高さを調節することが可能となる。
【００４６】
なお、回転アングル１２の外縁部における突出部１２ｂの間隔（陥没部１２ｃの間隔）は、特に限定されるものではない。この間隔を狭くすれば、突出部１２ｂと陥没部１２ｃとが多く設けられることになるため、より厳密に照明部２の高さ調節が可能となる。従って、例えば、陥没部１２ｃを、１５度間隔で設けることが好ましい。
【００４７】
また、照明装置１０は、固定部１および照明部２に均等に接続された３本のワイヤ３で照明部２を吊下げている。ワイヤ３の一方の端部は、回転アングル１２の引掛け爪１２ａに固定されている。引掛け爪１２ａは、回転アングル１２の外側面に１２０度間隔で設けられている。一方、ワイヤ３の他端は、照明部２の放熱板２１ａに１２０度間隔で接続されている。このようにワイヤ３が均等に配置されることにより、照明部２をバランスよく安定して吊下げることが可能となる。
【００４８】
ここで、回転カバー１６の回転量（移動量）は、特に限定されるものではない。しかし複数のワイヤ３を同一の巻取り経路で巻き取る場合、回転カバー１６の回転量が多すぎると、ワイヤ３どうしが重なり合うため絡まる可能性がある。そこで、複数のワイヤ３を同一の巻取り経路で巻き取る場合、回転カバー１６の回転量は、ワイヤ３間の巻取りを複数のワイヤ３どうしが重なり合って干渉しないように設定することが好ましい。
【００４９】
具体的には、照明装置１０では、３本のワイヤ３が回転アングル１２に均等に配置され、３本のワイヤ３を同一の経路で巻き取る巻取り経路１６ａが形成されている。さらに、各巻取り経路１６ａは、回転カバー１６の外側面に同じ高さで吊下げ方向に対して垂直な方向に平行に、互いに離間して設けられている（図６参照）。この場合、回転カバー１６の回転角度の最大値を１２０度とすることが好ましい。これにより、回転カバー１６を回転させてワイヤ３を巻き取る際に、別のワイヤ３の巻取りが干渉されることはない。つまり、１２０度以上の回転角度で巻き取らないためワイヤ３どうしが重なり合わず、絡まらない。従って、同一の経路で巻き取る巻取り経路１６ａを用いて３本のワイヤ３を巻き取ったとしても、ワイヤ３の巻取りによるワイヤ３どうしの固定部１から照明部２までの間の長さのばらつきを低減することができる。
【００５０】
なお、照明装置１０では、３本のワイヤ３を用いているため、ワイヤ３どうしが重なり合わないようにするためには回転カバー１６の回転角度の最大値を１２０度とすることが好ましい。従って、ｎ本（ｎは２以上の整数）のワイヤ３を用いる場合には、回転カバー１６の回転角度の最大値を３６０／ｎ度とすることが好ましいことになる。
【００５１】
以上のように、照明装置１０では、回転カバー１６を回転させると、その回転に連動して、回転カバー１６の側面に沿って各ワイヤ３が巻き取られる。これにより、回転カバー１６の回転量に応じて、ワイヤ３の固定部１から照明部２までの間の長さを、同時に調節（伸縮）させることができる。従って、ワイヤ３の巻取りによるワイヤ３どうしの固定部１から照明部２までの間の長さのばらつきを低減することができる。
【００５２】
また、照明装置１０では、回転カバー１６を手動で回転させるようになっている。このため、ワイヤ３を巻き取るために、モータ等の機械的手段が不要である。従って、固定部１の小型化（省スペース化）、軽量化、および低コスト化を実現することができる。
【００５３】
また、照明装置１０では、固定部１のうち、回転カバー１６のみが回転するようになっている。つまり、回転カバー１６のみを回転させて、ワイヤ３の固定部１から照明部２までの間の長さを調節することができる。このため、回転カバー１６を回転させても、固定部１に余計な力が作用しない。従って、固定部１が天井から外れるのを防止することができる。また、回転カバー１６のみを回転させるため、利用者が小さな力で、ワイヤ３の固定部１から照明部２までの間の長さ（照明部２の高さ）を調節することができる。
【００５４】
（調整機構４）
照明装置１０は、３本のワイヤ３で照明部２を吊下げ、照明部２の水平姿勢を保っている。このため、固定部１から照明部２までのワイヤ３の長さが異なると、照明部２の吊下げ方向に対して傾きが生じる。特に、照明装置１０は、回転カバー１６を巻取り、照明部２の高さを調節する。このため、各々のワイヤ３の巻き取られ方が異なると、ワイヤ３どうしで固定部１から照明部２までの間の長さにばらつきが生じやすい。特に、同一の経路で３本のワイヤ３を１２０度以上巻きとった場合では、ワイヤ３どうしが重なり合うため、照明部２に傾きが生じやすい。また、固定部１を固定する天井等の設置部が吊下げ方向に対して傾いていると、ワイヤ３の固定部１から照明部２までの間の長さが等しくても照明部２に傾きが生じる。
【００５５】
そこで、照明装置１０は、ワイヤ３の固定部１から照明部２までの間の長さを他のワイヤ３と独立して調整する調整機構４を備えている。図１０は、調整機構４の斜視図である。
【００５６】
調整機構４は、回転カバー１６の外側面に形成された巻取り経路１６ａの入り口付近に設けられている。調整機構４は、可動部４１、ビス（移動部）４２、ナット４３、およびカバー４４から構成されている。
【００５７】
可動部４１は、ワイヤ３に当接して可動することによって、ワイヤ３の固定部１から照明部２までの間の長さを調整する。また、可動部４１は、ワイヤ３に当接し、鉛直方向に延びるワイヤ３を、巻取り経路１６ａへ導く。つまり、可動部４１は、鉛直方向に延びたワイヤ３を、回転カバー１６の外側面に沿って水平方向に方向転換させるガイドとなる。
【００５８】
ビス４２は、カバー４４内に設けられ、カバー４４内に固定されたナット４３を介して、可動部４１に固定されている。これにより、ビス４２を回転させると、ビスが吊り下げ方向に移動してナット４３を介して可動部４１を上下（吊下げ方向）に可動させる。その結果、可動部４１がワイヤ３に当接して可動することで、ワイヤ３を吊下げ方向に対して可動させることができる。これにより、ワイヤ３の固定部１から照明部２までの間の長さが他のワイヤ３と独立して調整され、照明部２の傾きを調整することができる。従って、照明部２を水平に保つように調整することができる。また、照明部２を吊下げ方向に対して所望の角度に傾けることもできる。なお、可動部４１を可動させる方法は、ビス４２を回転させて可動させる方法に限定されず、可動部４１自体の回転カバー１６への固定位置を可変にして可動させる方法であってもよい。
【００５９】
照明装置１０では、３本のワイヤ３のそれぞれに対し、調整機構４を設けている。これにより、全てのワイヤ３の固定部１から照明部２までの間の長さを調整して同じ長さにすることができる。しかし、調整機構４は、調整機構４を備えるワイヤ３の固定部１から照明部２までの間の長さを他のワイヤ３と独立して調整し、他のワイヤ３の長さを可変させなくても他のワイヤ３との長さのバランスをとることができる。従って、全てのワイヤ３に対して設ける必要はなく、３本のうちの１本または２本のワイヤ３に対して、調整機構４を設けてもよい。２本のワイヤ３のそれぞれに対して調整機構４を設けた場合、調整機構４が設けられていないワイヤ３の長さを基準に、調整機構４が設けられた２本のワイヤ３の長さを調整する。これにより、全てのワイヤ３の固定部１から照明部２までの間の長さを同一にし、照明部２を水平に保つことができる。
【００６０】
図１０では、可動部４１を吊下げ方向（回転カバー１６の厚さ方向）に可動させて、ワイヤ３の長さを調整した。しかし、可動部４１の可動方向は、吊下げ方向に限定されるものではなく、水平方向に可動させてもよい。この場合、可動部４１を水平方向に可動することで、ワイヤ３を吊下げ方向に可動させるガイドを可動部４１と別に設けるとよい。これにより、吊下げ方向に可動させた場合と同様に、ワイヤ３の長さを調整し、照明部２の傾きを直すことができる。
【００６１】
以上のように、照明装置１０は、調整機構４を備えているため、複数のワイヤ３のうちの少なくとも１つのワイヤ３の固定部１から照明部２の間の長さが、他のワイヤ３とは独立して調整される。これにより、たとえ３本のワイヤの固定部１から照明部２の間の長さに差異があり照明部２に傾きが生じているとしても、ワイヤ３の固定部１から照明部２までの間の長さを調整することができる。従って、照明部２の傾きを調整することのできる照明装置１０を提供することができる。
【００６２】
（ワイヤ３の電力供給線の共通化）
照明装置１０において、ＬＥＤユニット２３に実装されたＬＥＤは、単色であってもよいし、複数色であってもよい。複数色のＬＥＤが実装されている場合、様々な調色を楽しむことができるため、照明装置１０の用途が多様化する。例えば、ＬＥＤを光源とする照明装置１０では、色温度が互いに異なる、白色のＬＥＤと、電球色のＬＥＤとが実装されている場合がある。本実施形態の照明装置１０は、白色ＬＥＤと電球色ＬＥＤの２系統の電力供給系統を備える光源を備える。図１１は、２系統の電力供給系統を備え、色調が夫々白色と電球色とであるＬＥＤに対してプラス（＋）で示す入力端子およびマイナス（−）で示す出力端子がそれぞれ独立した電力供給線に接続された配線を示す概略図である。図１２は、２系統の電力供給系統を備え、色調が夫々白色と電球色とであるＬＥＤに対してマイナス（−）で示す出力端子側の電力供給線を共通化して接続された配線を示す概略図である。ここで、電力供給系統とは、図１１に示すようなＬＥＤ等の光源および該光源に接続して電力を供給する入力端子および出力端子からなる系統である。
【００６３】
２系統のＬＥＤを備える場合、図１１のように、白色のＬＥＤおよび電球色のＬＥＤのそれぞれに対して、プラスで示す入力端子およびマイナスで示す出力端子に接続される電力供給線が必要となる。このため、合計４本（入力端子に接続される２本，出力端子に接続される２本）の電力供給線が必要になる。すなわち、４本のワイヤ３（導体３ｂ）が必要になる。
【００６４】
そこで、照明装置１０では、入力端子および出力端子の一方に接続される電力供給線を共通化することが好ましい。図１２では、出力端子に接続される電力供給線が共通化されている。白色のＬＥＤおよび電球色のＬＥＤからなる２系統の光源の入力端子および出力端子の一方に接続する電力供給線を共通化することで、１つの電源からの電力を白色のＬＥＤと電球色のＬＥＤとに振り分けて発光させる。すなわち、白色のＬＥＤと電球色のＬＥＤとの合計で調光率１００％の出力となるように発光させる。通常の照明装置の使用では、白色のＬＥＤと電球色のＬＥＤの調光率の比率を変化させることにより、白色から電球色の間で色温度を変化させて調色すればよいので、白色のＬＥＤと電球色のＬＥＤとを同時に１００％の出力で発光させる必要はない。従って、２系統の光源の入力端子または出力端子に共通の電力供給線を接続したとしても点灯して使用する上での不都合はない。このため、合計３本の電力供給線で配線したとしても、白色のＬＥＤおよび電球色のＬＥＤを点灯および調光・調色が可能となる。これにより、白色のＬＥＤおよび電球色のＬＥＤの回路構造を簡略化できると共に、電力供給線の本数を低減することができる。従って、安価な照明装置１０を提供することができる。さらに、電力供給線を共通化しない場合、合計４本必要になる吊下げ部材であるワイヤ３の本数を、３本に減らすことができる。つまり、電力供給線である導体３ｂをそれぞれ１本づつ備える３本のワイヤ３で照明部２を吊下げることができる。
【００６５】
４本以上のワイヤ３の全てに力がかかるように照明部２を吊り下げるためには、当該４本以上のワイヤ３の放熱板２１ａに接続される一端の全てが同一面上を通るように固定部１から照明部２までの長さを調整しなければならない。ワイヤ３が４本以上ある場合、全てのワイヤ３の上記一端が同一面上を通らない場合があるが、３本のワイヤ３で吊下げる場合では必ず全てのワイヤ３の上記一端が同一面上を通る。従って、３本のワイヤ３で吊下げる場合、確実に全てのワイヤ３に力がかかるように照明部２を吊下げることが可能となる。また、３本のワイヤ３で吊下げることで、多くとも２本のワイヤ３の固定部１から照明部２までの間の長さを調整するだけで照明部２の傾きを調整できるので、容易に傾きを調整することができる。従って、調整機構４の個数も低減することができる。
【００６６】
なお、図１２では、出力端子に接続される電力供給線が共通化されているが、入力端子に接続される電力供給線が共通化されていてもよい。また、白色のＬＥＤおよび電球色のＬＥＤに限らず、色の異なるＬＥＤ、色の異同に関係なく容量の異なるＬＥＤ、蛍光灯やＥＬ（Ｅｌｅｃｔｒｏ  Ｌｕｍｉｎｅｓｃｅｎｃｅ）などでもよく、電力供給系統を複数備える光源であればよい。この場合も、電力供給線を共通化することによって、共通化しない場合よりも電力供給線の数を減少させることができる。
【００６７】
このように、照明装置１０が２系統の電力供給系統の光源を備える場合、入力端子及び出力端子の一方に接続される電力供給線が、共通化されていることが好ましい。これより、ワイヤ３の本数が、光源の系統数よりも１本多いだけになる。従って、ペンダント式の照明装置１０の回路構造を簡素化し、電力供給線の本数を低減することができる。なお、全ての光源の入力端子または出力端子に接続される電力供給線が共通化された構成であれば、電力供給線の本数を最も低減することができる。しかし、その構成に限定されるものではなく、複数の電力供給系統を備える光源のうち、少なくとも２系統の電力供給系統を備える光源の入力端子または出力端子が、共通の電力供給線に接続されていればよい。これにより、各入力端子および各出力端子が独立した電力供給線に接続される場合よりも、電力供給線の本数を低減することができる。
【００６８】
（照明装置１０の変形例）
本実施形態の照明装置１０は、以下のような構成とすることも可能である。
【００６９】
本実施形態では、回転カバー１６を回転させて照明部２の高さを調節することのできる照明装置１０について説明した。しかし、本発明の照明装置において、照明部２の高さを調節することは必須ではない。照明部２の高さを調節する必要のない照明装置においても、調整機構４によって、ワイヤ３の固定部１から照明部２までの間の長さの取り付け誤差を調整し、照明部２を水平に保つことができる。また、照明部２を吊下げ方向に対して所望の角度に傾けることもできる。なお、この場合、勿論回転カバー１６を回転させる必要はない。
【００７０】
本実施形態の照明装置１０は、回転カバー１６の回転に連動させて、ワイヤ３を巻き取る構成である。しかし、ワイヤ３の巻取りは、巻取り装置を用いて機械的に行ってもよい。例えば、モータに接続されたドラムにワイヤ３を接続し、ドラムを回転させて、自動的にワイヤ３を巻き取ることも可能である。
【００７１】
また、本実施形態の照明装置１０は、回転カバー１６を手動で回転させる構成である。回転カバー１６は、モータ等により自動で回転させてもよい。これにより、ワイヤ３の固定部１から照明部２までの間の長さが機械的に調節される。従って、ワイヤ３の長さ（照明部２の高さ）を、厳密に管理することができる。
【００７２】
また、本実施形態の照明装置１０において、回転カバー１６は、以下のような構成とすることも可能である。図１３〜図１５は、回転カバー１６の変形例（回転カバー（巻取り部）１６Ａ，１６Ｂ，１６Ｃ）を示す斜視図である。以下では、回転カバー１６との相違点を中心に説明する。また、図１３〜図１５では、回転カバー１６Ａ，１６Ｂ，１６Ｃの主要部のみが示されているが、基本的な形状や部材は、回転カバー１６と同様である。
【００７３】
図１３の回転カバー１６Ａは、回転カバー１６における巻取り経路１６ａの代わりに、１本の溝１６ｅ（第１の巻取り経路）が形成されている。この溝１６ｅも、巻取り経路１６ａと同様の機能を有する。溝１６ｅは、回転カバー１６Ａの外側面を１周している。回転カバー１６Ａも、巻取り経路１６ａが形成された回転カバー１６と同様に、溝１６ｅに沿ってワイヤ３を巻き取ることができる。なお、回転カバー１６Ａの回転角度の最大値は、ワイヤ３どうしが絡まるのを避けるため、１２０度未満であることが好ましい。
【００７４】
図１４の回転カバー１６Ｂは、回転カバー１６Ａにおける溝１６ｅが、３本形成されている。つまり、回転カバー１６Ｂの外側面に、ワイヤ３ごとに別々の経路で巻き取る巻き取り経路が割り当てられた複数の溝１６ｆ（第２の巻取り経路）が形成されている。このため、回転カバー１６Ｂを回転させると、各ワイヤ３が、決まった溝１６ｅに沿って巻き取られる。これにより、ワイヤ３を巻き取る際に、別々の経路で巻き取られるので別のワイヤ３の巻取りが干渉されることはない。つまり、ワイヤ３どうしが重なり合って絡まることがない。従って、ワイヤ３の巻取りによるワイヤ３間の固定部１から照明部２までの間の長さのばらつきを低減することができる。さらに、溝１６ｅは、ワイヤ３ごとに別々に巻き取るべく独立しているため、回転カバー１６Ｂの回転角度に制約を受けない。つまり、３本のワイヤ３を用いる場合に、回転カバー１６Ｂの回転角度の最大値を、１２０度以上に設定することができる。これにより、ワイヤ３の固定部１から照明部２までの間の長さを大きく伸縮させることができる。従って、同一の経路でワイヤ３を巻き取る回転カバー１６で巻き取る場合に比べて照明部２の高さ調節の幅を拡大することができる。
【００７５】
図１５の回転カバー１６Ｃは、回転カバー１６Ｃの側面が波状に湾曲している。言い換えれば、回転カバー１６Ｃは、ワイヤ３との接触面に凹凸面が形成されている。上記接触面が平坦（平面）である場合、ワイヤ３と回転カバー１６とが面接触または線接触する。これに対し、上記接触面に凹凸が形成されている場合、ワイヤ３と回転カバー１６とが点接触する。その結果、凹凸面が形成されていない場合よりも、ワイヤ３と回転カバー１６との接触面積が低下する。従って、ワイヤ３と回転カバー１６Ｃとの摩擦を低下させ、より小さな力でワイヤ３を巻き取ることができる。
【００７６】
また、回転カバー１６Ｃにおけるワイヤ３との接触面および絶縁体３ｃの少なくとも一方に、テフロン（登録商標）をコーティングするなどしても、ワイヤ３と回転カバー１６Ｃとの摩擦を低下させることが可能である。このように、回転カバー１６Ｃでは、ワイヤ３との接触面に、ワイヤ３と回転カバー１６Ｃとの摩擦を低下させる処理（円滑化処理）が施されているといえる。これにより、円滑化処理が施されていない場合よりも、小さな力でワイヤ３を巻き取ることができる。なお、このような円滑化処理は、回転カバー１６Ｃにおけるワイヤ３との接触面およびワイヤ３の表面（絶縁体３ｃ）の少なくとも一方に、施されていればよい。
【００７７】
本実施形態では、ＬＥＤを光源とする照明装置について説明した。しかし、光源はＬＥＤに限定されるものではなく、蛍光灯やハロゲン電球やＥＬなど、種々の光源を適用することができる。
【００７８】
なお、照明装置１０では、調整機構４が、固定部１（回転カバー１６）に設けられている。しかし、調整機構４は、照明部２に設けられていてもよい。また、本実施形態では、ペンダント式の照明装置１０について説明したが、シーリング型の照明装置であっても、電力供給線の数を低減することができる。
【００７９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８０】
本発明は、複数の電力供給系統を備える光源を備える各種照明装置に適用することができる。
【符号の説明】
【００８１】
２    照明部
３    ワイヤ（吊下げ部材）
３ａ  補強索（支持部）
３ｂ  導体（電力供給線）
３ｃ  絶縁体（絶縁部）
１０    照明装置
２３    ＬＥＤユニット（光源）
【図１】
2012059455.tif 000003
【図２】
2012059455.tif 000004
【図３】
2012059455.tif 000005
【図４】
2012059455.tif 000006
【図５】
2012059455.tif 000007
【図６】
2012059455.tif 000008
【図７】
2012059455.tif 000009
【図８】
2012059455.tif 000010
【図９】
2012059455.tif 000011
【図１０】
2012059455.tif 000012
【図１１】
2012059455.tif 000013
【図１２】
2012059455.tif 000014
【図１３】
2012059455.tif 000015
【図１４】
2012059455.tif 000016
【図１５】
2012059455.tif 000017
【図１６】
2012059455.tif 000018
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
２系統の電力供給系統を備える光源を備える照明部と、
上記光源に電力を供給する電力供給線とを備える照明装置であって、
上記２系統の上記電力供給系統を備える光源の入力端子および出力端子のいずれか一方が、共通の上記電力供給線に接続されており、
上記２系統の電力供給系統に接続される３本の上記電力供給線を夫々１本ずつ備え、上記照明部を吊下げる３つの吊下げ部材を備えることを特徴とする照明装置。
【請求項２】
設置部に固定され、電源基板を収容する固定部を備え、
上記３つの吊下げ部材は、
夫々一端が上記固定部に接続され、他端が上記照明部に接続されていることを特徴とする請求項１に記載の照明装置。
【請求項３】
上記吊下げ部材の上記固定部から上記照明部までの間の長さを他の吊下げ部材と独立して調整する調整機構を備えることを特徴とする請求項２に記載の照明装置。
【請求項４】
上記光源は、上記電力供給系統及び色温度が異なる２種類のＬＥＤであることを特徴とする請求項１から３のいずれか一項に記載の照明装置。
【請求項５】
上記吊下げ部材は、
上記照明部を支持するとともに、上記電力供給線に被覆された支持部と、
上記電力供給線を被覆する絶縁部と、をさらに備えることを特徴とする請求項１〜４のいずれか１項に記載の照明装置。
【請求項６】
上記絶縁部は、透明材料から形成されていることを特徴とする請求項５に記載の照明装置。